(57)【要約】【課題】本発明は、表示装置１３を見ている人の顔の上下方向に一致するように、表示する画像の上下方向を回転させる、画像表示回路、画像表示装置、画像表示方法及び画像表示プログラムの提供を目的とする。【解決手段】本発明の画像表示装置は、撮像した画像から人の顔を検出し、予め定められた基準軸に対する顔の回転角を検出するカメラ１１と、表示装置１３に表示する画像を、カメラ１１が検出した回転角に追随して回転させる駆動回路１２と、駆動回路１２の回転させた画像を表示する表示装置１３と、を備える。【選択図】図１
2011101289.tif 000002
【特許請求の範囲】
【請求項１】
カメラを用いて撮像した画像から人の顔を検出し、予め定められた基準軸に対する前記顔の回転角を検出する回転角検出部と、
表示装置に表示する画像を、前記回転角検出部が検出した回転角に追随して回転させる画像回転部と、
を備える画像表示回路。
【請求項２】
前記基準軸は、前記表示装置に表示する画像の上下方向と平行であり、
前記回転角検出部は、
カメラを用いて撮像した画像から人の顔の上下方向を検出して、前記表示装置に表示する画像の上方向に対する前記人の顔の上方向の回転角を検出するか、又は、
カメラを用いて撮像した画像から人の顔の上下方向を検出して、前記表示装置に表示する画像の下方向に対する前記人の顔の下方向の回転角を検出する請求項１に記載の画像表示回路。
【請求項３】
前記回転角検出部は、
カメラを用いて撮像した画像から人の顔を検出して前記人の顔の中心線を算出し、
前記表示装置に表示する画像の上方向又は下方向に対する前記人の顔の中心線の回転角を検出する請求項１又は２に記載の画像表示回路。
【請求項４】
前記回転角検出部は、カメラを用いて撮像した画像から、前記表示装置に対して正面を向いている人の顔を検出する請求項１から３のいずれかに記載の画像表示回路。
【請求項５】
撮像した画像から人の顔を検出し、予め定められた基準軸に対する前記顔の回転角を検出するカメラと、
表示装置に表示する画像を、前記カメラが検出した回転角に追随して回転させる駆動回路と、
前記駆動回路の回転させた画像を表示する表示装置と、
を備える画像表示装置。
【請求項６】
前記基準軸は、前記表示装置に表示する画像の上下方向と平行であり、
前記カメラは、
撮像した画像から人の顔の上下方向を検出して、前記表示装置に表示する画像の上方向に対する前記人の顔の上方向の回転角を検出するか、又は、
撮像した画像から人の顔の上下方向を検出して、前記表示装置に表示する画像の下方向に対する前記人の顔の下方向の回転角を検出する請求項５に記載の画像表示装置。
【請求項７】
前記カメラは、
撮像した画像から人の顔を検出して前記人の顔の中心線を算出し、
前記表示装置に表示する画像の上方向又は下方向に対する前記人の顔の中心線の回転角を検出する請求項５又は６に記載の画像表示装置。
【請求項８】
前記カメラと前記表示装置は、前記画像表示装置における同一面上に配置され、
前記カメラは、撮像した画像から、前記表示装置に対して正面を向いている人の顔を検出する請求項５から７のいずれかに記載の画像表示装置。
【請求項９】
カメラを用いて撮像した画像から人の顔を検出し、予め定められた基準軸に対する前記顔の回転角を検出する回転角検出手順と、
表示装置に表示する画像を、前記回転角検出手順で検出した回転角に追随して回転させる画像回転手順と、
を順に有する画像表示方法。
【請求項１０】
前記画像回転手順で回転させた画像を前記表示装置に表示する表示手順を、前記画像回転手順の後にさらに有する請求項９に記載の画像表示方法。
【請求項１１】
前記基準軸は、前記表示装置に表示する画像の上下方向と平行であり、
前記回転角検出手順において、
カメラを用いて撮像した画像から人の顔の上下方向を検出して、前記表示装置に表示する画像の上方向に対する前記人の顔の上方向の回転角を検出するか、又は、
カメラを用いて撮像した画像から人の顔の上下方向を検出して、前記表示装置に表示する画像の下方向に対する前記人の顔の下方向の回転角を検出する請求項９又は１０に記載の画像表示方法。
【請求項１２】
前記回転角検出手順において、
カメラを用いて撮像した画像から人の顔を検出して前記人の顔の中心線を算出し、
前記表示装置に表示する画像の上方向又は下方向に対する前記人の顔の中心線の回転角を検出する請求項９から１１のいずれかに記載の画像表示方法。
【請求項１３】
前記回転角検出手順において、カメラを用いて撮像した画像から、前記表示装置に対して正面を向いている人の顔を検出する請求項９から１２のいずれかに記載の画像表示方法。
【請求項１４】
カメラを用いて撮像した画像から人の顔を検出し、予め定められた基準軸に対する前記顔の回転角を検出する回転角検出ステップと、
表示装置に表示する画像を、前記回転角検出ステップで検出した回転角に追随して回転させる画像回転ステップと、
を順にコンピュータに実行させる画像表示プログラム。
【請求項１５】
前記画像回転ステップで回転させた画像を前記表示装置に表示する表示ステップを、前記画像回転ステップの後にさらにコンピュータに実行させる請求項１４に記載の画像表示プログラム。
【請求項１６】
前記基準軸は、前記表示装置に表示する画像の上下方向と平行であり、
前記回転角検出ステップにおいて、
カメラを用いて撮像した画像から人の顔の上下方向を検出して、前記表示装置に表示する画像の上方向に対する前記人の顔の上方向の回転角を検出するか、又は、
カメラを用いて撮像した画像から人の顔の上下方向を検出して、前記表示装置に表示する画像の下方向に対する前記人の顔の下方向の回転角を検出する請求項１４又は１５に記載の画像表示プログラム。
【請求項１７】
前記回転角検出ステップにおいて、
カメラを用いて撮像した画像から人の顔を検出して前記人の顔の中心線を算出し、
前記表示装置に表示する画像の上方向又は下方向に対する前記人の顔の中心線の回転角を検出する請求項１４から１６のいずれかに記載の画像表示プログラム。
【請求項１８】
前記回転角検出ステップにおいて、カメラを用いて撮像した画像から、前記表示装置に対して正面を向いている人の顔を検出する請求項１４から１７のいずれかに記載の画像表示プログラム。
【発明の詳細な説明】
【技術分野】
【０００１】
本発明は、画面を表示する画像表示装置及び画像表示方法に関する。
【背景技術】
【０００２】
顔検出機能を利用した画像表示装置が提案されている（例えば、特許文献１及び２参照。）。特許文献１では、アウトカメラと、インカメラと、制御部と、を備え、以下のように動作する。制御部は、アウトカメラとインカメラを用いて撮影した画像を解析して顔検出技術によって顔の位置を検出する。そして、顔の移動や回転を判定する。これにより、キー操作によることなく、表示画面のスクロール又はズームを行なう。
【０００３】
特許文献２では、インカメラと、アウトカメラと、ＣＰＵ（Ｃｅｎｔｒａｌ  Ｐｒｏｃｅｓｓｉｎｇ  Ｕｎｉｔ）部と、テレビ放送信号受信部と、表示部と、を備え、以下のように動作する。ＣＰＵ部は、アウトカメラとインカメラを用いて撮影した画像を解析して顔画像の上下方向を判断する。そして、アウトカメラ、インカメラ、テレビ放送信号受信部により取得した画像等の上下方向が顔画像の上下方向に一致するように表示画像を縦と横で切り替える。これにより、ユーザの姿勢や使い方、携帯端末装置の持ち方に依存せずに表示方向を顔画像の上下方向に合わせることができる。
【先行技術文献】
【特許文献】
【０００４】
【特許文献１】特開２００７−３２４８９３号公報
【特許文献２】特開２００８−１７７８１９号公報
【発明の概要】
【発明が解決しようとする課題】
【０００５】
携帯電話を使用の際、メールなどのように画面を縦長に使用した方が使いやすい場合と、ワンセグ視聴やインターネットなど画面を横長に使用した方が使いやすい場合とがある。これに対し特許文献１に記載の画像表示装置では、表示画面のスクロール又はズームは行なえるが、画面の向きを変える機能が無かった。特許文献２に記載の画像表示装置では、表示画像を縦と横で切り替えるが、画像の上下方向と顔の上下方向との相対的な角度を検出しないため、表示装置を見ている人の顔の上下方向に一致しないことがあった。
【０００６】
そこで、本発明は、表示装置を見ている人の顔の上下方向に一致するように、表示する画像の上下方向を回転させる、画像表示回路、画像表示装置、画像表示方法及び画像表示プログラムの提供を目的とする。
【課題を解決するための手段】
【０００７】
本願発明の画像表示回路は、カメラを用いて撮像した画像から人の顔を検出し、予め定められた基準軸に対する前記顔の回転角を検出する回転角検出部と、表示装置に表示する画像を、前記回転角検出部が検出した回転角に追随して回転させる画像回転部と、を備える。
【０００８】
本願発明の画像表示装置は、撮像した画像から人の顔を検出し、予め定められた基準軸に対する前記顔の回転角を検出するカメラと、表示装置に表示する画像を、前記カメラが検出した回転角に追随して回転させる駆動回路と、前記駆動回路の回転させた画像を表示する表示装置と、を備える。
【０００９】
本願発明の画像表示方法は、カメラを用いて撮像した画像から人の顔を検出し、予め定められた基準軸に対する前記顔の回転角を検出する回転角検出手順と、表示装置に表示する画像を、前記回転角検出手順で検出した回転角に追随して回転させる画像回転手順と、を順に有する。
【００１０】
本願発明の画像表示プログラムは、カメラを用いて撮像した画像から人の顔を検出し、予め定められた基準軸に対する前記顔の回転角を検出する回転角検出ステップと、表示装置に表示する画像を、前記回転角検出ステップで検出した回転角に追随して回転させる画像回転ステップと、を順にコンピュータに実行させる。
【発明の効果】
【００１１】
本発明によれば、表示装置を見ている人の顔の上下方向に一致するように、表示する画像の上下方向を回転させる、画像表示回路、画像表示装置、画像表示方法及び画像表示プログラムを提供することができる。
【図面の簡単な説明】
【００１２】
【図１】実施形態１に係る画像表示装置の一例を示す。
【図２】実施形態１に係る画像表示方法の一例を示す。
【図３】実施形態１に係る画像表示プログラムの一例を示す。
【図４】実施形態２に係る画像表示回路の一例を示す。
【図５】実施形態２に係る画像表示方法の一例を示す。
【図６】実施形態２に係る画像表示プログラムの一例を示す。
【図７】実施形態３に係る携帯電話の斜視図である。
【図８】実施形態３に係る携帯電話の代表的なブロック図である。
【発明を実施するための形態】
【００１３】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１４】
（実施形態１）
図１に、本実施形態に係る画像表示装置の一例を示す。本実施形態に係る画像表示装置は、カメラ１１と、駆動回路１２と、表示装置１３と、を備える。画像表示装置は、例えば、携帯電話などの携帯機器である。
【００１５】
カメラ１１は、撮像した画像から人の顔を検出し、予め定められた基準軸に対する顔の回転角を検出する。これにより、表示装置１３を見ている人の顔の上下方向と、表示装置１３に表示する画像との相対的な角度を検出することができる。
【００１６】
ここで、基準軸は、表示装置１３に表示する画像の上下方向と、表示装置１３を見ている人の顔の上下方向との相対的な角度を検出することの可能な直線である。基準軸は、例えば、表示装置１３の上下方向と平行又は垂直な直線である。
【００１７】
そのため、カメラ１１と表示装置１３は、画像表示装置における同一面上に配置されていることが好ましい。これにより、カメラ１１は、撮像した画像から、表示装置１３に対して正面を向いている人の顔を検出しやすくなる。したがって、表示装置１３の画像を最も見ようとしている人が最も画像を見やすいように、表示装置１３は画像を表示することができる。
【００１８】
駆動回路１２は、表示装置１３に表示する画像の画像情報が入力され、表示装置１３に表示する画像を、カメラ１１が検出した回転角に追随して回転させる。そして、駆動回路１２は、表示装置１３に表示可能な映像信号を出力する。表示装置１３は、映像信号が入力され、駆動回路１２の回転させた画像を表示する。
【００１９】
例えば、基準軸と表示装置１３に表示する画像の上下方向が平行な場合、基準軸に対する使用者の顔の上方向の回転角が時計回りに３０°であれば、駆動回路１２は、表示装置１３に表示する画像を時計回りに３０°回転させる。これにより、表示装置１３を見ている人の顔の上下方向に一致するように、表示する画像の上下方向を回転させることができる。
【００２０】
ここで、表示装置１３に表示する画像は、表示装置１３の表示するあらゆる画像である。例えば、写真や図などの静止画のほか、映像などの動画であってもよい。
【００２１】
本実施形態に係る画像表示装置は、本実施形態に係る画像表示方法を実行する。図２に、本実施形態に係る画像表示方法を示す。本実施形態に係る画像表示方法は、回転角検出手順Ｓ１１１と、画像回転手順Ｓ１１２と、表示手順Ｓ１１３と、を順に有する。
【００２２】
回転角検出手順Ｓ１１１では、カメラ１１を用いて撮像した画像から人の顔を検出し、予め定められた基準軸に対する顔の回転角を検出する。これにより、表示装置１３を見ている人の顔の上下方向と、表示装置１３に表示する画像との相対的な角度を検出することができる。
【００２３】
基準軸は、例えば、表示装置１３に表示する画像の上下方向と平行な直線である。この場合、カメラ１１は、撮像した画像から人の顔の上下方向を検出する。例えば、両目と口をパターン認識することで、顔の上下を検出する。そして、カメラ１１は、表示装置１３に表示する画像の上方向に対する人の顔の上方向の回転角を検出する。或いは、カメラ１１は、表示装置１３に表示する画像の下方向に対する人の顔の下方向の回転角を検出する。
【００２４】
また、カメラ１１は、撮像した画像から人の顔を検出して人の顔の中心線を算出し、表示装置１３に表示する画像の上方向又は下方向に対する人の顔の中心線の回転角を検出してもよい。
【００２５】
ここで、カメラ１１は、撮像した画像から、表示装置１３に対して正面を向いている人の顔を検出する。これにより、表示装置１３の画像を最も見ようとしている人が最も画像を見やすいように、表示装置１３は画像を表示することができる。
【００２６】
画像回転手順Ｓ１１２では、駆動回路１２は、表示装置１３に表示する画像を、回転角検出手順Ｓ１１１で検出した回転角に追随して回転させる。表示手順Ｓ１１３では、表示装置１３は、画像回転手順Ｓ１１２で回転させた画像を表示する。これにより、表示装置１３を見ている人の顔の上下方向に一致するように、表示する画像の上下方向を回転させることができる。
【００２７】
なお、本実施形態に係る画像表示装置は、本実施形態に係る画像表示プログラムをコンピュータに実行させることで実現してもよい。図３に、本実施形態に係る画像表示プログラムの一例を示す。本実施形態に係る画像表示プログラムは、回転角検出ステップＳ２１１と、画像回転ステップＳ２１２と、表示ステップＳ２１３と、を順にコンピュータに実行させる。
【００２８】
回転角検出ステップＳ２１１では、カメラ１１を用いて撮像した画像から人の顔を検出し、予め定められた基準軸に対する顔の回転角を検出する。画像回転ステップＳ２１２では、表示装置１３に表示する画像を、回転角検出ステップＳ２１１で検出した回転角に追随して回転させる。表示ステップＳ２１３では、画像回転ステップＳ２１２で回転させた画像を表示装置１３に表示する。これにより、本実施形態に係る画像表示装置を実現することができる。
【００２９】
ここで、回転角検出ステップＳ２１１において、カメラ１１を用いて撮像した画像から、表示装置１３に対して正面を向いている人の顔を検出する。これにより、表示装置１３の画像を最も見ようとしている人が最も画像を見やすいように、表示装置１３は画像を表示することができる。
【００３０】
基準軸は、例えば、表示装置１３に表示する画像の上下方向と平行な直線である。この場合、回転角検出ステップＳ２１１において、カメラ１１を用いて撮像した画像から人の顔の上下方向を検出する。そして、表示装置１３に表示する画像の上方向に対する人の顔の上方向の回転角を検出する。或いは、表示装置１３に表示する画像の下方向に対する人の顔の下方向の回転角を検出する。
【００３１】
また、回転角検出ステップＳ２１１において、カメラ１１を用いて撮像した画像から人の顔を検出して人の顔の中心線を算出し、表示装置１３に表示する画像の上方向又は下方向に対する人の顔の中心線の回転角を検出してもよい。
【００３２】
（実施形態２）
図４に、本実施形態に係る画像表示回路の一例を示す。本実施形態に係る画像表示回路は、回転角検出部２１と、画像回転部２２と、を備える。本実施形態に係る画像表示回路は、カメラ３１及び表示装置３３を備える画像表示装置に備わる。
【００３３】
回転角検出部２１は、カメラ３１を用いて撮像した画像から人の顔を検出し、予め定められた基準軸に対する顔の回転角を検出する。これにより、表示装置３３を見ている人の顔の上下方向と、表示装置３３に表示する画像との相対的な角度を検出することができる。ここで、基準軸については実施形態１と同様である。
【００３４】
画像回転部２２は、表示装置３３に表示する画像の画像情報が入力され、表示装置３３に表示する画像を、回転角検出部２１が検出した回転角に追随して回転させる。そして、画像回転部２２は、表示装置３３に表示可能な映像信号を出力する。これにより、表示装置３３を見ている人の顔の上下方向に一致するように、表示する画像の上下方向を回転させることができる。ここで、表示装置３３については実施形態１の表示装置３３と同様である。
【００３５】
例えば、基準軸と表示装置３３に表示する画像の上下方向が平行な場合、基準軸に対する使用者の顔の上方向の回転角が時計回りに３０°であれば、画像回転部２２は、表示装置３３に表示する画像を時計回りに３０°回転させる。これにより、表示装置３３を見ている人の顔の上下方向に一致するように、表示する画像の上下方向を回転させることができる。
【００３６】
本実施形態に係る画像表示回路は、本実施形態に係る画像表示方法を実行する。図５に、本実施形態に係る画像表示方法を示す。本実施形態に係る画像表示方法は、回転角検出手順Ｓ１１１と、画像回転手順Ｓ１１２と、を順に有する。
【００３７】
回転角検出手順Ｓ１１１では、回転角検出部２１は、カメラ３１を用いて撮像した画像から人の顔を検出し、予め定められた基準軸に対する顔の回転角を検出する。これにより、表示装置３３を見ている人の顔の上下方向と、表示装置３３に表示する画像との相対的な角度を検出することができる。
【００３８】
ここで、回転角検出部２１は、カメラ３１を用いて撮像した画像から、表示装置３３に対して正面を向いている人の顔を検出することが好ましい。これにより、表示装置３３の画像を最も見ようとしている人が最も画像を見やすいように、表示装置３３は画像を表示することができる。
【００３９】
基準軸は、例えば、表示装置３３に表示する画像の上下方向と平行な直線である。この場合、回転角検出部２１は、カメラ３１を用いて撮像した画像から人の顔の上下方向を検出する。例えば、両目と口をパターン認識することで、顔の上下を検出する。そして、回転角検出部２１は、表示装置３３に表示する画像の上方向に対する人の顔の上方向の回転角を検出する。或いは、回転角検出部２１は、表示装置３３に表示する画像の下方向に対する人の顔の下方向の回転角を検出する。
【００４０】
また、回転角検出部２１は、撮像した画像から人の顔を検出して人の顔の中心線を算出し、表示装置３３に表示する画像の上方向又は下方向に対する人の顔の中心線の回転角を検出する。
【００４１】
画像回転手順Ｓ１１２では、画像回転部２２は、表示装置３３に表示する画像を、回転角検出手順Ｓ１１１で検出した回転角に追随して回転させる。これにより、表示装置３３を見ている人の顔の上下方向に一致するように、表示する画像の上下方向を回転させることができる。
【００４２】
なお、本実施形態に係る画像表示回路は、本実施形態に係る画像表示プログラムをコンピュータに実行させることで実現してもよい。図６に、本実施形態に係る画像表示プログラムの一例を示す。本実施形態に係る画像表示プログラムは、回転角検出ステップＳ２１１と、画像回転ステップＳ２１２と、を順にコンピュータに実行させる。
【００４３】
回転角検出ステップＳ２１１では、カメラ３１を用いて撮像した画像から人の顔を検出し、予め定められた基準軸に対する顔の回転角を検出する。画像回転ステップＳ２１２では、表示装置３３に表示する画像を、回転角検出ステップＳ２１１で検出した回転角に追随して回転させる。これにより、本実施形態に係る画像表示回路を実現することができる。
【００４４】
回転角検出ステップＳ２１１では、カメラ３１を用いて撮像した画像から人の顔を検出し、予め定められた基準軸に対する顔の回転角を検出する。画像回転ステップＳ２１２では、表示装置３３に表示する画像を、回転角検出ステップＳ２１１で検出した回転角に追随して回転させる。表示ステップＳ２１３では、画像回転ステップＳ２１２で回転させた画像を表示装置３３に表示する。これにより、本実施形態に係る画像表示装置を実現することができる。
【００４５】
ここで、回転角検出ステップＳ２１１において、カメラ３１を用いて撮像した画像から、表示装置３３に対して正面を向いている人の顔を検出する。これにより、表示装置３３の画像を最も見ようとしている人が最も画像を見やすいように、表示装置３３は画像を表示することができる。
【００４６】
基準軸は、例えば、表示装置３３に表示する画像の上下方向と平行な直線である。この場合、回転角検出ステップＳ２１１において、カメラ３１を用いて撮像した画像から人の顔の上下方向を検出する。そして、表示装置３３に表示する画像の上方向に対する人の顔の上方向の回転角を検出する。或いは、表示装置３３に表示する画像の下方向に対する人の顔の下方向の回転角を検出する。
【００４７】
また、回転角検出ステップＳ２１１において、カメラ３１を用いて撮像した画像から人の顔を検出して人の顔の中心線を算出し、表示装置３３に表示する画像の上方向又は下方向に対する人の顔の中心線の回転角を検出してもよい。
【００４８】
（実施形態３）
本実施形態では、実施形態１で説明した画像表示装置が携帯電話である場合について説明する。図７は、本実施形態に係る携帯電話の斜視図である。携帯電話１０１は、表示装置１３と同じ向きにカメラ１１を有し、表示装置１３と正対したものをカメラ１１が写すことが出来る構造となっている。またカメラ１１は、被写体の顔を検出してピントを合わせる顔検出機能を有し、この顔検出機能を応用して、検出した顔が垂直軸に対してどれだけ傾いているかを検出出来るものとする。
【００４９】
図８は、本実施形態に係る携帯電話の代表的なブロック図である。表示装置１３、駆動回路１２、ＣＰＵ１４、カメラ１１で構成されている。表示装置１３は、携帯電話１０１のあらゆる情報を表示する機能を有する。駆動回路１２は、表示装置１３を駆動する機能を有する。ＣＰＵ１４は、カメラ１１から被写体の向き情報を受け取り、駆動回路１２へ表示向きを指示する機能を有する。カメラ１１は、顔検出機能と、被写体の顔の向きから角度を検出する機能と、有する。
【００５０】
携帯電話１０１は、カメラ１１を起動する。カメラ１１は、表示装置１３を見ている使用者の画像を取り込む。次に、カメラ１１は、顔検出機能を使用して使用者の顔の向きが基準（垂直軸）に対してどれだけ傾いているかを検出し、ＣＰＵ１４に情報を出力する。尚、ここまでの動作は、使用者の顔の向きを検出する為のものなので、カメラ１１の画像を表示装置１３に映す必要は無い。
【００５１】
次に、顔の向きの情報を受けたＣＰＵ１４は、傾いた角度分表示する画像を回転させるよう駆動回路１２に指示を出す。駆動回路１２は、ＣＰＵ１４からの指示分だけ回転させた画像が表示装置１３に表示されるよう表示装置１３を駆動する。例として、使用者の顔が、垂直軸に対して時計回りに９０°回転していると検出した場合、駆動回路１２は、表示装置１３に表示する画像も時計回りに９０°回転させて表示するように表示装置１３を駆動する。これにより、使用者は、表示装置１３の表示画像を、いつも同じ向きで見ることが出来る。
【００５２】
上記のように、本実施形態に係る携帯電話１０１は、カメラ１１及び表示装置１３を有する携帯電話などの携帯機器において、カメラ１１の顔検出機能を用いて表示装置１３に表示するものの表示向きを自動切り替えすることができる。これによって、本実施形態に係る携帯電話１０１は、以下の効果を得ることができる。
【００５３】
カメラ１１の顔検出機能を応用し、使用者の顔の角度を検出し、その傾き角度分だけ表示装置１３に表示する画像を回転することが出来る。これにより、表示装置１３に表示する画像の向きを使用者にとってはいつも同じ向きにすることが出来る。この機能により、例えば、普段は画面を縦長に使用していてもワンセグ視聴やインターネットなど横長に表示させたい時は、携帯電話１０１を横向きにするだけで表示向きが回転し、横長画面に切り替えることが出来る。
【００５４】
また、携帯電話１０１は、最近の機種では殆どの機種に付いているカメラ１１を使用することで、部品を増やすことなく、表示向きの自動切り替えを実現することが出来る。
【産業上の利用可能性】
【００５５】
本発明は、情報通信産業に適用することができる。
【符号の説明】
【００５６】
１１、３１：カメラ
１２：駆動回路
１３、３３：表示装置
１４：ＣＰＵ
２１：回転角検出部
２２：画像回転部
１０１：携帯電話
【図１】
2011101289.tif 000003
【図２】
2011101289.tif 000004
【図３】
2011101289.tif 000005
【図４】
2011101289.tif 000006
【図５】
2011101289.tif 000007
【図６】
2011101289.tif 000008
【図７】
2011101289.tif 000009
【図８】
2011101289.tif 000010